(57)【要約】【課題】把持部を手指で掴みやすく、把持部により圧迫感を覚えさせることがなく、かつ全体として見栄えよくすることができるドア枠およびドア枠取付構造を提供する。【解決手段】ドア枠は、縦枠に把持部が形成されたドア枠であって、把持部は、前記縦枠の見込み方向の前後端のすくなくとも一方に形成され、見付け方向のドア枠開口側に突出した形状とされる。【選択図】図１
2019065488.tif 000002
【特許請求の範囲】
【請求項１】
縦枠に把持部が形成されたドア枠であって、
前記把持部は、前記縦枠の見込み方向の前後端のすくなくとも一方に形成され、見付け方向のドア枠開口側に突出した形状とされることを特徴とするドア枠。
【請求項２】
請求項１において、
前記把持部は、表側端面が見付け方向に略平行な面とされる一方、裏側端面が傾斜面とされ、突出方向にすぼまり頂部を有した横断面形状とされることを特徴とするドア枠。
【請求項３】
請求項２において、
前記把持部を有した前記縦枠の端面の見付け方向の幅寸法は３５〜６０ｍｍとされ、前記表側端面と前記裏側端面とのなす角度が２５〜４０度とされることを特徴とするドア枠。
【請求項４】
請求項２または３において、
前記把持部の前記裏側端面の基部位置が、戸閉止時における前記縦枠の戸端対向面の前記把持部側の端部位置より１２ｍｍ以上離反した位置とされる特徴とするドア枠。
【請求項５】
請求項１〜４のいずれか１項において、
前記把持部は前記縦枠の高さ方向の略全長にわたり形成されていることを特徴とするドア枠。
【請求項６】
縦枠に把持部が形成されたドア枠を壁に開設したドア枠開口に取り付けてなる、ドア枠の取付構造であって、
前記把持部は、前記縦枠の見込み方向の前後端のすくなくとも一方に形成され、見付け方向の前記ドア枠開口側に突出した形状とされており、
前記把持部の表側端面の見込み方向における位置が前記壁の外面よりも５〜２０ｍｍ前方とされることを特徴とするドア枠の取付構造。
【発明の詳細な説明】
【技術分野】
【０００１】
本発明は、縦枠に把持部を備えたドア枠およびドア枠の取付構造に関する。
【背景技術】
【０００２】
この種のドア枠として従来には、縦枠の見込み方向の端部より把持部が前方に大きく突出したものが多く提案されている（たとえば、特許文献１参照）。特許文献１のドア枠は縦枠とは別体の円柱状の把持部を備えている。
【先行技術文献】
【特許文献】
【０００３】
【特許文献１】特開２００１−２８８８６８号公報
【発明の概要】
【発明が解決しようとする課題】
【０００４】
しかしながら、円柱状等の把持部では手指で掴みやすいが、縦枠の前方に大きく突出しているため圧迫感があるうえ、すっきりした外観ではなく見栄えは決してよいとは言えない。
【０００５】
本発明は、このような事情を考慮して提案されたもので、その目的は、把持部を手指で掴みやすく、把持部が邪魔にならず、圧迫感を覚えさせることもなく、かつ全体として見栄えよくすることができるドア枠およびドア枠取付構造を提供することにある。
【課題を解決するための手段】
【０００６】
上記目的を達成するために、本発明のドア枠は、縦枠に把持部が形成されたドア枠であって、把持部は、前記縦枠の見込み方向の前後端のすくなくとも一方に形成され、見付け方向のドア枠開口側に突出した形状とされることを特徴とする。
【０００７】
また、本発明のドア枠取付構造は、縦枠に把持部が形成されたドア枠を壁に開設したドア枠開口に取り付けてなる、ドア枠の取付構造であって、把持部は、縦枠の見込み方向の前後端のすくなくとも一方に形成され、見付け方向の前記ドア枠開口側に突出した形状とされており、把持部の表側端面の見込み方向における位置が前記壁の外面よりも５〜１５ｍｍ前方とされることを特徴とする。
【発明の効果】
【０００８】
本発明のドア枠は上述した構成とされているため、把持部を手指で掴みやすく、把持部により圧迫感を覚えさせることがなく、かつ全体として見栄えよくすることができる。
【０００９】
また、本発明のドア枠取付構造は上述した構成とされているため、把持部を手指で掴みやすくでき、把持部が邪魔にならず、圧迫感を覚えさせることもなく、かつ全体として見栄えよくすることができる。特に、把持部を片手で掴みやすくなり、楽に使用できる。
【図面の簡単な説明】
【００１０】
【図１】本発明のドア枠の説明図である。（ａ）は同ドア枠が採用された居室空間の簡略間取り図、（ｂ）は（ａ）におけるＡ部の拡大横断面図、（ｃ）は（ａ）におけるＢ部の拡大横断面図である。
【図２】（ａ）は同ドア枠の一方の縦枠の横断面図、（ｂ）は同縦枠の一部省略正面図である。
【図３】同縦枠の把持部側の部分横断面図である。
【図４】（ａ）〜（ｃ）は把持部の他の形状例を示した部分横断面図である。
【図５】（ａ）は他の実施形態に係るドア枠の一方の縦枠の横断面図、（ｂ）はさらに他の実施形態に係るドア枠の一方の縦枠の横断面図である。
【発明を実施するための形態】
【００１１】
以下に、本発明の実施の形態について、添付図面を参照しながら説明する。まず、以下に説明する複数の実施形態に係るドア枠１の概略構成について説明する。
【００１２】
このドア枠１は縦枠１０に把持部１２が形成されたドア枠である。この把持部１２は、縦枠１０の見込み方向の前後端のすくなくとも一方に形成され、見付け方向のドア枠開口５側に突出した形状とされている。
【００１３】
このドア枠１は、２つの縦枠１０、１０と、上枠２とを有してなる。また、ドア枠１は下枠３を有したものであってもよい。このドア枠１の材質は木質材、硬質樹脂等とされる。
【００１４】
このドア枠１の取付態様としては、たとえば図１（ａ）の間取り図に示すように、一般住宅の洗面室３０の壁３２に設けた出入口用の開口３３や、洗面室３０と浴室３１との仕切り壁３２に設けた開口３３に取り付けるものが挙げられる。
【００１５】
出入口用開口３３（ドア枠開口５）には、ドア枠１（縦枠１０）と上吊りのアウトセット引戸３５が取り付けられており、洗面室３０と外部との間の移動が可能とされている（図１（ａ）（ｂ）参照）。また、仕切り壁用開口３３（ドア枠開口５）には、ドア枠１（縦枠１０）と、下枠３のレール３ａを移動する引き違い式の２枚の引戸３５、３５とが取り付けられており、洗面室３０と浴室３１との間の移動が可能とされている（図１（ａ）（ｃ）参照）。
【００１６】
図１（ｂ）に示すように、出入口用開口３３に設けた２つの縦枠１０、１０のうちの一方には、洗面室２０側の前端部１０ａに把持部１２が形成されている。また、図１（ｃ）に示すように、仕切り壁用開口３３に設けた２つの縦枠１０、１０のうちの一方には、洗面室３０側の前端部１０ａに把持部１２が形成されている。いずれの把持部１２、１２もドア枠開口５、５側に突出しており、その突出端部は図例のように丸みのある頂部１４、１４を有した形状とされている。
【００１７】
これらの把持部１２、１２は手すりとして使用できるものである。上記２例はいずれも、洗面室３０内から見て左側の縦枠１０に把持部１２が設けてあるため、人が、図１（ｂ）（ｃ）において白抜き矢印方向を向き左手で把持するのに都合がよく使用しやすい。もちろん右手でも使用することもできる。また、縦枠１０は、把持部１２を有するものも有さないものも、前後端が壁面よりもわずかに突出した状態に施工されている。そのため、把持部１２の壁３２側の角部１２ａの近傍に手指を掛けて把持部１２を使用することもできる。
【００１８】
把持部１２は、上述したように、縦枠１０の見込み方向の前後端のすくなくとも一方に形成されればよく、つまり１つの縦枠１０について、後端に設けてもよく、また前後に２つ設けてもよく、１つのドア枠開口５について最大４カ所に設けてもよい。
【００１９】
ついで、把持部１２を有した縦枠１０の詳細について、図２および図３にもとづいて説明する。なお、これらの図は、図１における仕切り壁用開口３３に設けた把持部１２付き縦枠１０を例示したものである。
【００２０】
把持部１２は、洗面室３０側から見た見込み方向の縦枠１０の前端部１０ａに形成されている。縦枠１０の横断面形状としては、横断面が長方形の縦枠本体１１の前端部１０ａのドア枠開口５側に、略三角形の突出部１３を付加した形状とされる。この突出部１３は、鋭角状の頂部１４が縦枠１０の前端部１０ａからドア枠開口５側に突出するように配されている。
【００２１】
把持部１２の頂部１４は、手指を添えて使用されるため、図２（ａ）等に示すように、角を取り湾曲状形成されることが望ましい。また、把持部１２の壁３２側の角部１２ａも、手指を添えて使用される場合があるため面取り等を施すことが望ましい（図２（ａ）参照）。
【００２２】
把持部１２は、縦枠１０の前端部１０ａに配されており、おおむね図１（ａ）において１点鎖線で囲んだ部位とされる。つまり、本実施形態における把持部１２は、縦枠１０の前端部１０ａに突出部１３を付加することで構成され、その表側端面１５が見付け方向に略平行な面とされる一方、裏側端面１６が傾斜面とされ、突出方向にすぼまり頂部１４を有した横断面形状とされる。
【００２３】
この把持部１２を左手で使用する場合、親指を頂部１４に掛け、手のひらを表側端面１５に添えるようにして、あるいは親指以外の指を壁３２側の角部１２ａに掛けて掴むようにして使用すればよい（順手による使用）。また、親指以外の指を頂部１４に掛け、親指を下に向けるか、あるいは壁３２側の角部１２ａに掛けるようにして使用することもできる（逆手による使用）。把持部１２を右手で使用する場合、親指を壁３２側の角部１２ａに掛け、他の指を頂部１４に掛けて掴むように使用すればよい。
【００２４】
このように、把持部１２の表側端面１５が平坦に形成され、かつ把持部１２がドア枠開口５側に突出した形状であるため、把持部１２を手指で掴みやすい。また、把持部１２は縦枠１０の前端から前方に突出したものではないため圧迫感もなく、見栄えもよい。特に、把持部１２のドア枠開口５側へ突出した突出部１３が略三角形であるため、頂部１４に手を掛けて掴みやすく、シンプルで見栄えもよく、製造もしやすい。
【００２５】
また、把持部１２は縦枠１０の前端側に突出するように付加されたものではなく、把持部１２の表側端面１５が縦枠１０の見込み方向の端面と合致したものとされる。つまり把持部１２自体は縦枠１０に同化している。したがって、前方から見たときには、把持部１２（手すり）というよりは、厚めの縦枠１０に見える程度であり、そのため把持部１２により、意匠性を損なうようなおそれはない。なお、把持部１２の表側端面１５は凸湾曲していてもよい。また、表側端面１５に、滑り止め用や意匠用の細かな縦溝などが形成されていてもよい。
【００２６】
また、図２（ｂ）に示すように、把持部１２は縦枠１０の高さ方向の略全長にわたり形成されている。図２（ｂ）に示すように、縦枠１０の上端では把持部１２が切除されており、その切除部に上枠２が組み付けられている。
【００２７】
このように把持部１２が高さ方向の略全長に形成されているため、種々の身長の利用者に対応でき、自由な使い方もでき、きわめて便利である。また、車いすでの使用にも対応できる。本例のものでは、車いすに乗った状態で左手を逆手にして把持部１２に手掛けすれば、ドア枠開口５側に車いすを楽に引き寄せることができる。
【００２８】
ついで、把持部１２の詳細な形状および寸法について、図３に示した部分拡大横断面図にもとづいて説明する。
【００２９】
把持部１２の表側端面１５つまり縦枠１０の前端部１０ａの端面の見付け方向の幅寸法Ｌ１は、片手で掴みやすい寸法とされることが望ましく、好適な寸法としては３５〜６０ｍｍの範囲内とすることが望ましい。上述したように、左手で掴まず、指を頂部１４に掛けるだけの使用もできるため、幅寸法Ｌ１は２０〜９０ｍｍの数値範囲であってもよい。
【００３０】
また図例のものは、縦枠本体１１の厚さ寸法Ｌ３と、突出部１３の頂部１４までの突出寸法Ｌ４とが略同じである。ドア枠開口５の有効開口幅を考慮すれば、突出寸法Ｌ４は１０〜３０ｍｍの数値範囲とすることが望ましい。突出寸法Ｌ４がこの程度の数値とすれば、手掛けするのに十分な突出の程度であり、かつ、ドア枠開口５を通過するのに邪魔になるおそれもない。
【００３１】
また、幅寸法Ｌ１を３５〜６０ｍｍとし、かつ、頂部１４の角度つまり表側端面１５と裏側端面１６とのなす角度θを２５〜４０度とした把持部１２が手掛けするうえで使いやすい。
【００３２】
幅寸法Ｌ１を５０ｍｍとし、角度θを１５度、３０度、４５度、６０度とした４種の試作品で聞き取り調査をし、感想を集計したところ、３０度のものが最も使いやすいとのことであった（角度θが４５度、１５度のものについては図５（ａ）に図示）。１５度のものは尖りすぎの感が強いとの感想が多かった。４５度、６０度のものはグリップ感が弱く、移動する引戸３５に手指が当たりそうであるとの感想が多かった。
【００３３】
また、幅寸法Ｌ１を５０ｍｍとし、頂部１４のアールをＲ５、Ｒ７．５、Ｒ１０とした３種の試作品で聞き取り調査をし、感想を集計したところ、Ｒ５のものが最も使いやすいとのことであった。Ｒ７．５、Ｒ１０のものは丸くなりすぎのため滑りそうで使いにくく、厚みが増すため移動する引戸３５に手指が当たりそうであるとの感想が多かった。頂部１４のアールはＲ３〜Ｒ５が望ましい。なお、壁３２側の角部１２ａについては、手指を添える可能性もあるため、壁３２側の縦枠１０の外面に手指を掛けて邪魔にならない程度に面取りあるいはアール形成しておけばよい。
【００３４】
また、縦枠１０の戸端対向面１０ｂに向かい移動する引戸３５に手指が接触しないようにするためには、手指の一般的なサイズを考慮すれば、引戸３５との離間寸法Ｌ５が１２ｍｍ以上とすることが望ましい。つまり、把持部１２の裏側端面１６の基部１６ａの位置が、引戸３５の閉止時における縦枠１０の戸端対向面１０ｂの把持部１２側の端部位置より１２ｍｍ以上離反した位置とされることが望ましい。なお、安全性を高めるためには、離間寸法Ｌ５は２０ｍｍ以上とすることが望ましい。
【００３５】
また、縦枠１０の壁３２に対する取付構造としては、上述したように把持部１２を掴みやすくするために、把持部１２の表側端面１５の見込み方向における位置が壁３２の外面よりも５〜２０ｍｍ（図３におけるＬ２の寸法）前方とされること望ましい。
【００３６】
ついで、把持部１２（縦枠１０の前端部１０ａ）の形状の３例について、図４（ａ）〜（ｃ）に示した部分横断面図にもとづいて説明する。
【００３７】
図４（ａ）のものは、頂部１４の角度が４５度（２点鎖線のものは１５度）とされる。上記の例と同様、ドア枠開口５側へ突出した突出部１３の形状が三角形であるため手指で掴みやすい。
【００３８】
図４（ｂ）のものは、把持部１２の突出部１３の突出形状が台形状とされ、上底（短いほうの底）が裏側端面１６側に配されている。このような台形状とすることで、角度θを大きくしても、引戸３５との離間寸法Ｌ５を大きくとることができる。逆手で使用する場合に親指以外の指を上底側に回すことができ、把持部１２をしっかりと掴むことができる。
【００３９】
図４（ｃ）のものは、把持部１２の突出部１３の形状が、裏側端面１６に半円状の凹部１３ａを有した形状とされる。この凹部１３ａは指掛かり部とされ、順手でも逆手でも指を掛けやすい。
【００４０】
以上には引戸３５用のドア枠１を例示したが、開き戸や折戸のドア枠であっても、引戸３５に適用されるものとおおむね同様の把持部１２を適用することができる。図５（ａ）には開き戸３７の例、図５（ｂ）には折戸３８の例を示した。
【００４１】
図５（ａ）のものは、開き戸３７の戸先側の縦枠１０が把持部１２を備えた例である。図中の１０ｃは戸当たり部である。把持部１２は開き戸３７の開く方向とは反対の方向の端部に設けてある。そのため、開閉動作をする開き戸３７と接触するおそれはなく、把持部１２を手すりとして安全に使用することができる。なお、開き戸３７が開く方向の縦枠１０の端部に把持部１２を備える場合、把持部１２の突出部１３の突出寸法を、把持部１２に掛けた手指と、動作する開き戸３７の戸先側の戸端とが接触しない程度にすればよい。
【００４２】
また、開き戸３７の戸尻側の縦枠（図５（ａ）では不図示）に把持部１２を備えてもよい。この場合も、把持部１２は開き戸３７の開く方向とは反対の方向の端部に設けることが望ましい。
【００４３】
図５（ｂ）のものは、間仕切りなどに使用される折戸３８の縦枠１０が把持部１２を備えた例である。把持部１２は折戸３８が開動作で突出する方向とは反対の方向の端部に設けてあり、開閉動作する折戸３８と接触するおそれはなく、把持部１２を手すりとして安全に使用することができる。なお、折戸３８が開動作で突出する方向の縦枠１０の端部に把持部１２を備える場合、把持部１２の突出部１３の突出寸法を、把持部１２に掛けた手指と、開動作で突出する折戸３８の外側の戸面とが接触しない程度にすればよい。
【符号の説明】
【００４４】
１          ドア枠
５            ドア枠開口
１０          縦枠
１０ａ        前端部
１０ｂ        戸端対向面
１１          縦枠本体
１２          把持部
１３          突出部
１４          頂部
１５          表側端面
１６          裏側端面
１６ａ        基部
３５          引戸、アウトセット引戸
３７          開き戸
３８          折戸
【図１】
2019065488.tif 000003
【図２】
2019065488.tif 000004
【図３】
2019065488.tif 000005
【図４】
2019065488.tif 000006
【図５】
2019065488.tif 000007